(57)【要約】【課題】  球貯留タンクに貯留されているパチンコ球が球貯留タンクに近接するように配設されているスピーカの磁石の影響を受けないようにし、パチンコ球がスムーズに排出できるようにする。【解決手段】  球貯留タンク６の底板に第一斜面２２、第二斜面２３及び第三斜面２４を形成し、このうち、スピーカの磁石と近接する箇所に形成された第二斜面２３は、球貯留タンク６の長手方向と直交する奥行き方向に下り傾斜させるようにした。このような構成により、第二斜面２３を転動するパチンコ球１１はスピーカから離れるＢ方向に転動するので、第二斜面２３を転動するパチンコ球１１が磁石の影響を受けて側板１７にくっついたり、パチンコ球１１同士でくっつくいて、パチンコ球１１がスムーズに排出できなくなるような不具合を解消することが可能になる。【選択図】        図３
2006334170.tif 000002
【特許請求の範囲】
【請求項１】
底板と、前記底板の周囲を取り囲む側板とを有し、貯留した遊技球を前記底板に設けられた排出口から排出する球貯留タンクを備え、演出音を発生するスピーカの背面が前記側板の一部に近接した弾球遊技機において、
前記底板は、前記排出口に向かって全体的に下り傾斜した第一斜面と、前記側板の一部から前記排出口に向かって前記第一斜面より急傾斜で下り傾斜するように形成された第二斜面とを備えたことを特徴とする弾球遊技機の球貯留タンク。
【請求項２】
前記球貯留タンクは矩形状の箱形状であって、前記スピーカの背面は前記底板の長辺を含む側板の一部と近接し、前記第一斜面は前記底板の長手方向に傾斜し、前記第二斜面は前記底板の長手方向と直交する方向に傾斜していることを特徴とする請求項１記載の球貯留タンク。
【請求項３】
前記第一斜面と前記第二斜面とが第三斜面で連絡され、前記第三斜面の傾斜は前記第一斜面より急傾斜で前記第二斜面より緩い傾斜であることを特徴とする請求項１又は２記載の球貯留タンク。
【発明の詳細な説明】
【技術分野】
【０００１】
本発明は、パチンコ店等の遊技場において使用される弾球遊技機に関し、さらに詳しくは、弾球遊技機に配設され、遊技球を貯留する球貯留タンクに関する。
【背景技術】
【０００２】
パチンコ店等の遊技場で使用される弾球遊技機の代表的なものにパチンコ機がある。パチンコ機は、遊技領域を有する遊技盤、演出音を発生するスピーカが、基体となる本体基部に配設された構造となっている。遊技盤に形成された遊技領域には、通常入賞口や始動入賞口等の各種入賞口が設けられ、遊技領域を流下してきた遊技球がこれら入賞口に入賞すると、所定数の遊技球が賞球として払い出される。なお、この賞球となる遊技球は、本体基部の裏面側に設けられている球貯留タンクに貯留されており、前述した条件等が成立したときに本体基部に設けられた払出し装置によって行われる。また、スピーカは、遊技球が各種入賞口に入賞した場合等のように予め定められた条件が成立したときにファンファーレ音等のような効果音を報知して演出効果を高めている。
【０００３】
従来のパチンコ機では、球貯留タンクの側板の一部とスピーカの背面とが近接するように配設されているものがあった。このように球貯留タンクとスピーカとが配設されているパチンコ機の場合には、次のような問題点があった。すなわち、スピーカの後方には磁石が設けられているため、貯留タンク内の遊技球が磁石の影響を受けて、貯留タンクの側壁にくっついたり、又は遊技球同士でくっつき合う等の不具合を生じさせる恐れがある。この問題点を解決する方法としては、貯留タンクに貯留された遊技球が磁石の影響を受けないようにスピーカの位置を変更することが考えられる。しかし、近年のパチンコ機は、遊技盤が大型化される傾向にあり、遊技機のスペースの大半を占めるように構成されている。このため、スピーカ等を配設できる場所が限定されてしまい、スピーカを他の場所に移設するのが困難であるという問題があった。そこで、このような問題を解決する手法の一例として、スピーカを防磁シートで覆い、スピーカと球貯留タンクとを近接させた場合にも磁石の影響が遊技球に及ばないようにするものが公開されている（例えば、特許文献１）。
【特許文献１】実用新案登録第３０５５２３９号公報
【発明の開示】
【発明が解決しようとする課題】
【０００４】
しかしながら、特許文献１に記載されている防磁シートを覆ったスピーカを使用すると、パチンコ機の製造時におけるコストが増加するという問題がある。また、防磁スピーカを使用せずに、遊技球に対する磁石の影響を低減させる方法としては、球貯留タンクの底板が排出口へ向けて全体的に下り傾斜するように形成することが考えられる。しかし、従来の球貯留タンクと同一の大きさのままで底板に傾斜面を形成すると、従来の球貯留タンクのようにタンクの容量を確保することができないという問題がある。この問題は、球貯留タンクを大型化すれば解決することができるものの、大型化した球貯留タンクを配設するためのスペースを確保することが困難であり、現実的でないという問題がある。
【０００５】
本発明は、上記問題点を解決するためになされたものであり、その目的とするところは、スピーカに配設されている磁石の影響を遊技球が受けにくいようにし、かつ球貯留タンクの容量の減少を抑えた球貯留タンクを提供することにある。
【課題を解決するための手段】
【０００６】
上記問題点を解決するにあたり、本発明の球貯留タンクは、底板と、前記底板の周囲を取り囲む側板とを有し、貯留した遊技球を排出口から排出する球貯留タンクを備え、演出音を発生するスピーカの背面が前記側板の一部に近接した弾球遊技機において、前記底板は、前記排出口に向かって全体的に下り傾斜した第一斜面と、前記側板の一部から前記排出口に向かって前記第一斜面より急傾斜で下り傾斜するように形成された第二斜面とを備えたことを特徴とする。
【０００７】
なお、前記球貯留タンクは矩形状の箱形状であって、前記スピーカの背面は前記底板の長辺を含む側板の一部と近接し、前記第一斜面は前記底板の長手方向に傾斜し、前記第二斜面は前記底板の長手方向と直交する方向に傾斜していることが好ましい。
【０００８】
また、前記第一斜面と前記第二斜面とが第三斜面で連絡され、前記第三斜面の傾斜は前記第一斜面より急傾斜で前記第二斜面より緩い傾斜であることが好ましい。
【発明の効果】
【０００９】
本発明によれば、底板と、前記底板の周囲を取り囲む側板とを有し、貯留した遊技球を排出口から排出する球貯留タンクを備え、演出音を発生するスピーカの背面が前記側板の一部に近接した弾球遊技機において、前記底板は、前記排出口に向かって全体的に下り傾斜した第一斜面と、前記側板の一部から前記排出口に向かって前記第一斜面より急傾斜で下り傾斜するように形成された第二斜面とを備えたから、球貯留タンクに貯留された遊技球が、磁石の影響を受けて貯留タンクの側壁に遊技球がくっついたり、貯留タンク内で遊技球同士がくっつくような不具合を解消することが可能になる。また、このような不具合の解消に基づいて、遊技球の排出をスムーズに行うことが可能になる。さらには、第二斜面を第一斜面より急傾斜にしているので、球貯留タンクの貯留スペースを確保しつつ遊技球に対する磁力の影響を受けにくくさせることが可能になる。
【００１０】
また、前記球貯留タンクは矩形状の箱形状であって、前記スピーカの背面は前記底板の長辺を含む側板の一部と近接し、前記第一斜面は前記底板の長手方向に傾斜し、前記第二斜面は前記底板の長手方向と直交する方向に傾斜しているから、第二斜面を転動する遊技球は、磁石の影響が少なくなる方向へ転動することになる。したがって、球貯留タンクに貯留された遊技球が受ける磁石の影響をさらに低減させることが可能になる。
【００１１】
また、前記第一斜面と前記第二斜面とが第三斜面で連絡され、前記第三斜面の傾斜は前記第一斜面より急傾斜で前記第二斜面より緩い傾斜としたから、球貯留タンクの容量を確保しつつ、貯留された遊技球を効率よく排出口へ導くことが可能になる。
【発明を実施するための最良の形態】
【００１２】
本発明の一形態であるパチンコ機の構成を図１ないし図５に基づいて説明する。パチンコ機（弾球遊技機）１は、基体となる本体基部２の前面に上扉３と下扉４とからなる前面扉５が開閉自在に取り付けられている。また、本体基部２の裏面側には、球貯留タンク６が設けられている。上部扉には、中央に開口７が設けられており、その奥側に設けられている遊技盤８の盤面が視認できるようになっている。上扉３の裏面には、ガラス等の透明な部材からなるガラス扉９が上扉３に対して開閉自在に取り付けられている。通常は、ガラス扉９は上扉３に閉じられており、開口７がガラス扉９によって覆われた状態になっている。また、上扉３の上方にはスピーカカバー１０が配設されている。スピーカカバー１０の奥側には、後述するスピーカ１５が本体基部２に取り付けられている。スピーカ１５は、その背面が球貯留タンク６の側板の一部と近接するように取り付けられている。下扉４は、遊技者が遊技開始時に投入するパチンコ球（遊技球）１１等を貯留する受け皿１２、及び図示しない発射装置の打ち出し強さを調節する操作ハンドル１３を備えている。また、下扉４は、賞球等を受け皿１２に払い出す払出し口１４を備えている。
【００１３】
図２に示すように、球貯留タンク６は、本体基部２の上部に設けられている。また、球貯留タンク６は、側壁の一部がスピーカ１５の背面と近接するように取り付けられている。図３〜図５に示すように、球貯留タンク６は、上面が開口した矩形状の箱形状をしており、底板１６と、底板１６を取り囲む側板１７〜２０とから構成されている。底板１６は、排出口２１、第一斜面２２、第二斜面２３及び第三斜面２４を備えている。排出口２１は、球貯留タンク６の下方に設けられた球払出し通路にパチンコ球１１を排出する開口であり、パチンコ機１を裏面側から見た場合に、底板１６の左側に位置するように設けられている。この排出口２１は矩形状をしており、複数個のパチンコ球１１が排出できるように形成されている。
【００１４】
第一斜面２２は、側板１８から排出口２１に向けて、底板１６の長手方向に傾斜するように形成されている。第一斜面２２は、底板１６の長手方向には角度αで側板１８から排出口２１へ向けて下り傾斜し、長手方向と直交する方向（以下、奥行き方向という。）には水平になるように形成されている。第二斜面２３は、側板１７の一部から排出口２１に向けて奥行き方向に傾斜するように形成されている。第二斜面２３は、側板１７から排出口２１へ向けて底板１６の奥行き方向には角度βで下り傾斜し、底板１６の長手方向には水平になるように形成されている。また、第三斜面２４は、側板１７の一部から第一斜面２２に向けて奥行き方向に傾斜しており、第一斜面２２及び第二斜面２３と連なるように形成されている。第三斜面２４は、側板１７から第一斜面２２に向けて底板１６の奥行き方向には角度γで下り傾斜し、底板１６の長手方向には水平になるように形成されている。ここで、球貯留タンク６は、第一斜面２２、第二斜面２３及び第三斜面２４の角度がそれぞれα＜γ＜βの関係になるように形成されている。球貯留タンク６に貯留されているパチンコ球１１は、第一斜面２２にあるパチンコ球１１はＡ方向に、第二斜面２３にあるパチンコ球１１はＢ方向に、そして第三斜面２４にあるパチンコ球１１はＣ方向に転動する。
【００１５】
本実施形態の球貯留タンク６の作用について説明する。パチンコ店においては、パチンコ店に設けられている供給装置からパチンコ球１１の供給を受けており、球貯留タンク６にはパチンコ球１１が貯留されている。このとき、スピーカ１５の背面と近接する側板１７は第二斜面２３と接するように形成されているので、パチンコ球１１をスピーカ１５の背面に設けられている磁石１５ａから引き離すことができる。したがって、スピーカ１５と近接する場所でパチンコ球１１が磁石１５ａの影響を受けて、例えばパチンコ球１１が側板１７にくっついたり、パチンコ球１１同士がくっついて、パチンコ球１１の排出に影響を及ぼすような不具合を解消することができ、スムーズにパチンコ球１１を排出口２１から排出させることができる。
【００１６】
また、底板１６のうち、側板１８や側板１９と接する箇所のように、スピーカ１５から離れている場所ではパチンコ球１１が磁石１５ａの影響を受けることが少なく、上述したような不具合を引き起こすこともない。このような場所は、傾斜角度の少ない第一斜面２２を形成することによっても、パチンコ球１１を排出口２１へ向けてスムーズに転動させることができる。また、このように磁石１５ａの影響を受けにくい場所の斜面の傾斜角度を少なくすることによって、球貯留タンク６の容量を確保することができ、大量のパチンコ球１１を球貯留タンク６に貯留させることができる。
【００１７】
さらに、側板１７に面している箇所に第三斜面２４を設けることにより、パチンコ球１１を底板１６の長手方向と直交する方向、すなわち、スピーカ１５から離れる方向へパチンコ球１１を転動させることができる。また、第三斜面２４の角度γは第一斜面２２の角度αより大きくなり、かつ第二斜面２３の角度βより小さくなるように形成しているので、パチンコ球１１が磁石１５ａの影響を受けることを回避しつつ、かつ球貯留タンク６の容量を確保することができる。
【００１８】
以上のように、本発明の球貯留タンクによれば、スピーカに設けられた磁石の影響を回避することによって、貯留されたパチンコ球をスムーズに排出口から排出させることができる。また、パチンコ店の供給装置から供給される大量のパチンコ球を貯留するように球貯留タンクの容量を確保することが可能になる。
【図面の簡単な説明】
【００１９】
【図１】本形態の一形態であるパチンコ機を表した外観斜視図である。
【図２】パチンコ機の背面側に配設された貯留タンク周りの構成を表した斜視図である。
【図３】貯留タンクの内部構造を表した説明図である。
【図４】貯留タンクの長手方向における第１斜面の傾斜角度を表した説明図である。
【図５】貯留タンクの長手方向と直交する方向における第２斜面及び第３斜面の傾斜角度を表した説明図である。
【符号の説明】
【００２０】
１  パチンコ機（弾球遊技機）
６  球貯留タンク
１１  パチンコ球（遊技球）
１５  スピーカ
１６  底板
１７，１８，１９，２０  側板
２１  排出口
２２  第一斜面
２３  第二斜面
２４  第三斜面
【図１】
2006334170.tif 000003
【図２】
2006334170.tif 000004
【図３】
2006334170.tif 000005
【図４】
2006334170.tif 000006
【図５】
2006334170.tif 000007